(57)【要約】      （修正有）【課題】着用時のデザイン性及び機能性を損なうことなく、非着用時においては縫いぐるみとしても活用することができるブランケットを提供する。【解決手段】表裏生地を重合してなるブランケット本体１の適宜位置に、縫いぐるみの外皮形状をなし、着用時における袋内面が縫いぐるみの外面となるよう形成した収納用袋６を備えたポケット部４を設けるとともに、該ポケット開口縁５にリバーシブル型ファスナー７を取り付ける。そして、非着用時にあっては前記収納用袋をポケット開口より引き出し表裏反転させ、これにブランケット本体１を詰め込み収納する。【選択図】図１
0003161720.tif 000002
【実用新案登録請求の範囲】
【請求項１】
表裏生地を重合してなるブランケット本体の表生地の適宜位置に、ポケット開口を設け、その開口縁にリバーシブル型ファスナーを取り付けると共に、着用時にあってはブランケット本体の表裏生地間に配され、非着用時にあってはポケット開口より引き出し表裏反転させこれにブランケット本体を詰め込み収納することが可能な収納用袋を止着してなるポケット部を備えたことを特徴とするブランケット。
【請求項２】
前記ポケット部を構成する収納用袋が縫いぐるみの外皮形状をなし、着用時における収納用袋内面が縫いぐるみの外面となるよう形成したことを特徴とする請求項１に記載のブランケット。
【請求項３】
前記ポケット部の収納用袋を着脱自在とし、他の収納用袋と交換可能としたことを特徴とする請求項２に記載のブランケット。
【考案の詳細な説明】
【技術分野】
【０００１】
本考案は、肩掛けや膝掛け等、主に身体の一部を保温するために用いられるブランケット、詳しくは、ブランケット本体を収納するためのポケットを備えたブランケットに関する
【背景技術】
【０００２】
従来より、衣服については、衣服本体を収納するためのポケットが設けられたものは幾つか開示されている。例えば、上着後身頃内側にポケットを設け、ポケット開口からポケット袋布を引き出し、これに上着全体を詰め込んでファスナーによって閉じると縫いぐるみになるもの（特許文献１）、又は、衣服表面部にキャラクター人形等の装飾面を有する収容体を着脱可能に取付け、非着用時にはこの収容体に衣服の一部又は全部を被包収納するもの（特許文献２）、更には、人形形状から着用可能な帽子に変えられるリバーシブルな人形／帽子（特許文献３）等が開示されている。
しかしながら、ブランケットに限っていえば、非着用時にブランケット本体を収納するためのポケット部が設けられたものはほとんどなく、特に、携帯性及び装飾性を目的として収納ポケットを設けた従来例は、ブランケットとしても適用可能と思われるシート状部材（特許文献４）以外に発見することはできなかった。
【特許文献１】実用新案登録第３０９２４５９号公報
【特許文献２】実用新案登録第３１４３７０７号公報
【特許文献３】特表２００１−５１４７１３号公報
【特許文献４】実用新案登録第３１０８００５号公報
【０００３】
前記実用新案登録第３１０８００５号公報（特許文献４）で開示されている「シート状部材」にあっては、シート状部材の一部を折り畳んでポケット部が形成され、該ポケット部の表面に常時露出した状態でキャラクター人形がデザインされているものである。この考案によるボケット部は、シート状部材（本体）の背面を利用してその裏面部を構成しているため、シート状部材（本体）全体をポケット内に収納することができる構成にはなっていない。
また、ポケット部の内外両面に同一のキャラクターデザインを施さなければならないので、製作する上で手間と費用の点で問題がある。
さらに、シート状部材（本体）に表面部と蓋部とを接合してポケット部が構成されているため、これを表裏反転した際のキャラクターデザイン体は自ずと平面的にならざるを得ず、縫いぐるみ人形のような立体的且つ複雑な形態をなす装飾体とすることは極めて困難である。
加えて、少なくとも、ポケット表面部に施されたキャラクターデザインは着用時にあっても露出したままの状態となっているため、着用者（老若男女）によってはミスマッチなデザインとなってしまう場合があり、外出先での着用が躊躇される。
【考案の開示】
【考案が解決しようとする課題】
【０００４】
本考案は、上記従来の問題点に鑑みなされたもので、着用時のデザイン性及び機能性を損なうことなく、非着用時においては縫いぐるみとして携帯することもできるブランケットの提供を課題とする。
【課題を解決するための手段】
【０００５】
上記課題を解決するため、本考案に係るブランケットは、ブランケット本体を表裏生地を重ね合わせて形成し、このブランケット本体の表生地の適宜位置にポケット開口を設け、その開口縁にリバーシブル型ファスナーを取り付けると共に、着用時にあってはブランケット本体の表裏生地間に配され、非着用時にあってはポケット開口より引き出し表裏反転させ、これにブランケット本体を詰め込み収納することが可能な収納用袋を止着してなるポケット部を備えたことを特徴とする。
【０００６】
また、前記ポケット部を構成する収納用袋の形状が縫いぐるみの外皮形状となるよう、尚且つ、着用時における収納用袋内面が縫いぐるみの外面となるよう形成したことを特徴とする。
【０００７】
さらに、前記ポケット部の収納用袋を着脱自在とし、他の収納用袋と交換可能としたことを特徴とする。
【考案の効果】
【０００８】
上記構成からなる本考案のブランケットは、着用時にあっては外観的にも機能的にも通常の状態と何ら変わるところはないが、非着用時にあってはポケット部の収納用袋をポケット開口より引き出し表裏反転させ、これにブランケット本体の全てを詰め込むことが可能なため、バッグやタンス等に収納する際もばらけず余分なスペースを取らないので、持ち運びや収納に便利である。
【０００９】
また、ポケット部を構成する収納用袋が縫いぐるみの外皮形状となっているため、非着用時にブランケット本体を表裏反転したポケット内に詰め込み収納してファスナーを閉じると、その収納形態が装飾体としての縫いぐるみとなるため、携帯用縫いぐるみとして持ち歩くことも、装飾品として室内に飾っておくこともできる。
【００１０】
さらに、本考案によるポケット部の収納用袋はデザインに制約がなく、これを着脱自在とした場合にあっては、収納用袋を異なった形態に適宜変更することができ、性別や年齢又はその用途に限定されないブランケットとすることができる。
【考案を実施するための最良の形態】
【００１１】
以下、図面を参照し、本考案の最良の実施形態について説明する。
【００１２】
図面は、本考案に係るブランケットの一実施例であって、図１は同ブランケットの全形を示す斜視図、図２はブランケット本体をポケット部内に収納する状態を示す斜視図、図３はブランケット表面の展開説明図、図４はブランケット着用時における収納用袋の配設状態を示す説明図、図５はブランケット着用時における収納用袋の外側正面図、図６はブランケット本体を表裏反転させた収納用袋内に詰め込み縫いぐるみの形態とした際の正面図である。
【００１３】
なお、本実施例図面におけるブランケットは、長方形のブランケットとして描かれているがその形態を問わない。また、リバーシブル型ブランケットであるか否かによって限定されるものではない。
【００１４】
本実施例に係るブランケットは、表生地２と裏生地３とを重ねあわせその周縁を縫着することによってブランケット本体１が形成され、表生地２の適宜位置に開口部を有するポケット部４が設けられている。このポケット部４は、その開口縁５附近より収納用袋６が表生地２と裏生地３の間に配されるよう止着され、また、開口縁５にはファスナー７が取り付けられている。
【００１５】
そして、前記ポケット部４の開口縁５に取り付けられたファスナー７は、リバーシブル型のファスナーとなっていて、スライダー８によって表裏何れの側からも開閉可能な構造となっている。
【００１６】
ポケット部４の開口縁５に止着されている収納用袋６は、少なくとも、ブランケット本体１の全体を収納できる容量からなり、全体が縫いぐるみの外皮形状をなし、着用（通常）時におけるその袋内面が縫いぐるみの外面となるよう形成されている。なお、収納用袋６を着脱可能に止着するには、ボタン止め、ファスナー止め、紐止め、縫い止め等その手段は問わない。
【００１７】
前記ポケット部４の収納用袋６は、ブランケット本体１を詰め込み収納した際に縫いぐるみ態様に立体感を出すとともに、収納をより容易にするため、図５で示すように、複数枚の布片（ａ）、（ｂ）、（ｃ）、（ｄ）、（ｅ）、（ｆ）、（ｇ）、（ｈ）、（ｉ）、（ｊ）・・・をパイピングテープ９によって繋ぎ合わせ立体形状となるよう縫製されている。
【００１８】
なお、本実施例にあっては、収納用袋６の形状が熊の縫いぐるみ形状であることから、よりリアリティを出すため、頭部や腹部を構成する収納用袋６の本体とは別に、ボタン等からなる目２０、鼻２１、端切れ布等を利用して作られた手２２、足２３、耳２４の各パーツが取り付けられている。この際、手２２、足２３及び耳２４の各パーツは、袋状に成形するなどして若干の膨らみを持たせておくと良い。
【００１９】
次に、本考案に係るブランケットの使用方法について説明すると、着用時にあっては、収納用袋６は重合された表生地２と裏生地３の間隙にあってポケット部４の内側に収まった状態になっていて、外観上ファスナー７の部分以外は現出していない。したがって、着用時にこの収納用袋６の部分が邪魔になることもなく、また、通常のブランケットと同様にデザイン上の制約を受けず、着用者（老若男女）の如何を問わないデザインとすることが可能となる。
【００２０】
非着用時にあっては、ポケット部４の開口部より収納用袋６を図１に示すように表裏反転させて引き出し、その後、図２に示すようにブランケット本体１を反転させた収納用袋６内に詰め込み収納し、スライダー８によってファスナー７を閉塞する。これによって、その収納形態が縫いぐるみ形態となる。
【００２１】
図示実施例では縫いぐるみをベアー形状としたが、本考案はこれに限られることなく他の動物、人形、各種キャラクター等、どのような形状形態のものであってもよい。また、本考案にあって、収納用袋６を着脱自在に構成した場合には、収納用袋６を他の縫いぐるみ形態のものに適宜交換することができ、複数種類の縫いぐるみ形態を選択的に楽しむことができる。
【００２２】
なお、収納用袋６を含むポケット部４の全体を防水素材によって製作しておけば、雨などでブランケット本体１が濡れてしまったような場合に、これを前記方法で収納用袋６内に詰め込んで収納しておけば、防水カバーとしての機能も発揮し、他の物を濡らしたり他人に迷惑をかけるような事態を有効に防ぐことができる。
【図面の簡単な説明】
【００２３】
【図１】本実施形態に係るブランケットの全形を示す斜視図。
【図２】同ブランケット本体をポケット部内に収納する状態を示す斜視図。
【図３】同ブランケット表面の展開説明図。
【図４】同ブランケットの着用時における収納用袋の配設状態を示す説明図。
【図５】同ブランケットの着用時における収納用袋の外側正面図。
【図６】同ブランケット本体を表裏反転させた収納用袋内に詰め込み縫いぐるみ形態とした際の正面図。
【符号の説明】
【００２４】
１  ブランケット本体
２  表生地
３  裏生地
４  ポケット部
５  開口縁
６  収納用袋
７  ファスナー
８  スライダー
９  パンピングテープ
【図１】
0003161720.tif 000003
【図２】
0003161720.tif 000004
【図３】
0003161720.tif 000005
【図４】
0003161720.tif 000006
【図５】
0003161720.tif 000007
【図６】
0003161720.tif 000008